(57)【要約】【課題】生成した電解水を拭取手段に付着させながら床を拭くため、電解水を無駄に使用することも無く、効率良く床面を綺麗に掃除でき、使用性の高い清掃機を提供することを目的としている。【解決手段】水を電気分解して電解水を生成する電解槽２４を有する本体２０と、床面の汚れを拭き取る拭取手段４７とを備え、前記電解槽２４から前記電解水を前記拭取手段４０に送水するもので、生成した電解水を拭取手段４７に付着させながら床を拭くため、電解水を無駄に使用することも無く、効率良く床面を綺麗に掃除でき、使用性の高い清掃機を提供できる。【選択図】  図１
2005006816.tif 000002
【特許請求の範囲】
【請求項１】
水を電気分解して電解水を生成する電解槽を有する本体と、床面の汚れを拭き取る拭取手段とを備え、前記電解槽から前記電解水を前記拭取手段に送水する清掃機。
【請求項２】
電解槽は、隔膜で仕切られた陽極室と陰極室とで構成され、前記陽極室には陽極を、前記陰極室には陰極を各々設けた請求項１記載の清掃機。
【請求項３】
使用者が操作する操作手段を設け、使用者が前記操作手段を操作したときに、拭取手段に電解水が付着する請求項１または２記載の清掃機。
【請求項４】
本体が前進したことを検知する検知手段を設け、前記検知手段が前記本体が前進したことを検知したときに、拭取手段に電解水が付着する請求項１または２記載の清掃機。
【請求項５】
電解槽を防振手段を介して本体に配設した請求項１〜４のいずれか１項に記載の清掃機。
【請求項６】
電解槽を本体の略下方に設けた請求項１〜５のいずれか１項に記載の清掃機。
【請求項７】
根元に球体保持部を有する使用者が握る取手部と、本体に前記球体保持部が挿入される凹部とを設け、前記球体保持部を前記凹部に挿入して前記本体を床面上に設置したとき、前記取手部が床面に接するまで回動する請求項１〜６のいずれか１項に記載の清掃機。
【請求項８】
取手部を床面に対して略垂直方向上方に固定する係止手段を設けた請求項７記載の清掃機。
【請求項９】
拭取手段を駆動させる駆動手段を設け、前記駆動手段の周囲と拭取手段近傍とを連通するダクト手段を設けた請求項１〜８のいずれか１項に記載の清掃機。
【請求項１０】
本体裏面に吸込室と、前記吸込室に連通する接続手段とを設け、前記接続手段に電気掃除機の延長管を接続可能とした請求項１〜９のいずれか１項に記載の清掃機。
【発明の詳細な説明】
【０００１】
【発明の属する技術分野】
本発明は、掃除時に使用する清掃機に関するものである。
【０００２】
【従来の技術】
従来の電気掃除機としては、図７〜図８にその構造を示すものがある。
【０００３】
この電気掃除機においては、本体下１内に電解水生成装置２を設け、その上部の注水カートリッジ３から供給された水を前記電解水生成装置２でアルカリイオ水と酸性イオン水に電解し、吸気ヘッド４裏面先端に設けた前段吸込口５より床面の塵埃を吸引後、噴出ノズル部６より電解水を各々噴射し、送風電動機７より回転力が伝達された中央ローラー８、後ローラー９にて床面の清掃・拭き取りを行ない、その後段吸気口１０より掃除後の電解水を吸引する構成となっていた（例えば、特許文献１参照）。
【０００４】
【特許文献１】
特開平１０−５７２８２号公報
【０００５】
【発明が解決しようとする課題】
しかしながら前記従来の構成の電気掃除機においては、電解水の噴霧は送風電動機７の排気を利用して行なうため、制御弁１１を開けて掃除作業をしているときには、吸気ヘッド４裏面に設けた噴出ノズル部６より電解水が常時噴射されており、ゆっくりとした往復動作で掃除をしているときや掃除機の往復動作を止めたときなど、単位面積あたりの噴霧量が多すぎ、床面に溜まる程多くの電解水が無駄に噴射され、特に広い面積の部屋等を掃除するときなど、注水カートリッジ１杯分の電解水では不足し、掃除途中で再度電解を行なわなくてはならず、大変手間と時間がかかるという不具合があった。
【０００６】
本発明の課題は以上のような従来の問題を解決しようとするもので、生成した電解水を拭取手段に付着させながら床を拭くため、電解水を無駄に使用することも無く、効率良く床面を綺麗に掃除でき、使用性の高い清掃機を提供することを目的としている。
【０００７】
【課題を解決するための手段】
前記従来の課題を達成するために本発明は、水を電気分解して電解水を生成する電解槽を有する本体と、床面の汚れを拭き取る拭取手段とを備え、前記電解槽から前記電解水を前記拭取手段に送水するもので、電解槽に水を入れて電解すると、床等の洗浄を行なうアルカリ水と、次亜塩素酸を含み除菌・漂白を行なう酸性水が生成され、アルカリ水を少量ずつ拭取手段に付着しながら拭くことにより、床などの掃除が容易に実施できるものであり、水道などで頻繁にパットに水を含ませるという手間がかからず、電解水等の後残りが無く、作業の手間が大幅に削減できるものであり、次亜塩素酸を含んだ酸性水を少量ずつ付着しながら拭いた場合においては、床の除菌が簡単に実施できるものであり、長期的に快適かつ簡単に使用できる。
【０００８】
【発明の実施の形態】
請求項１記載の発明は、水を電気分解して電解水を生成する電解槽を有する本体と、床面の汚れを拭き取る拭取手段とを備え、前記電解槽から前記電解水を前記拭取手段に送水するもので、電解槽に水を入れて電解すると、床等の洗浄を行なうアルカリ水と、次亜塩素酸を含み除菌・漂白を行なう酸性水が生成され、アルカリ水を少量ずつ拭取手段に付着しながら拭くことにより、床などの掃除が容易に実施できるものであり、水道などで頻繁にパットに水を含ませるという手間がかからず、電解水等の後残りが無く、作業の手間が大幅に削減できるものであり、次亜塩素酸を含んだ酸性水を少量ずつ付着しながら拭いた場合においては、床の除菌が簡単に実施できるものであり、長期的に快適かつ簡単に使用できる。
【０００９】
請求項２記載の発明は、電解槽は、隔膜で仕切られた陽極室と陰極室とで構成され、前記陽極室には陽極を、前記陰極室には陰極を各々設けたもので、投入された水がアルカリ水を生成する陰極室と、酸性水を生成する陽極室とに確実に分離され、各々専用の陰極・陽極が設けられているため、各々が混じることなく容易に短時間で確実にアルカリ水と酸性水が生成でき、確実かつ簡単に使用できるものである。
【００１０】
請求項３記載の発明は、使用者が操作する操作手段を設け、使用者が前記操作手段を操作したときに、拭取手段に電解水が付着するもので、掃除作業を行なうとき、取手部に設けた操作手段により付着の開始及び停止を操作できるため、電解水が必要な場合のみ付着を行うことが可能となり、電解水を無駄に浪費することなく、効率よく掃除作業が行えるものである。
【００１１】
請求項４記載の発明は、本体が前進したことを検知する検知手段を設け、前記検知手段が前記本体が前進したことを検知したときに、拭取手段に電解水が付着するもので、掃除作業をするべく清掃機を床面上で前進させたとき、検知手段が清掃機の前進を検知して電解水を拭取手段に付着するため、電解水が必要な場合のみ付着を行うことが可能となり、電解水を無駄に浪費することなく、効率よく掃除作業が行えるものである。
【００１２】
請求項５記載の発明は、電解槽を防振手段を介して本体に配設したもので、掃除作業中には清掃機を床面で移動させるが、誤って壁等に衝突させたときにも、衝突の衝撃が防振手段にて軽減され、電解槽或いはその内部の電極等に過大な衝撃が加わることがなく、長期間安定して使用できるものである。
【００１３】
請求項６記載の発明は、電解槽を本体の略下方に設けたもので、掃除作業中には清掃機を床面で移動させるが、誤って壁等に衝突させて本体を転倒させたとき、回動しながら転倒するその回動半径が小さい程、転倒時の衝撃は小さくなるが、水の入った重い電解槽が本体の略下方に設けられているため、本体転倒時の衝撃が軽減され、電解槽或いはその内部の電極等に過大な衝撃が加わることがなく、長期間安定して使用できるものである。
【００１４】
請求項７記載の発明は、根元に球体保持部を有する使用者が握る取手部と、本体に前記球体保持部が挿入される凹部とを設け、前記球体保持部を前記凹部に挿入して前記本体を床面上に設置したとき、前記取手部が床面に接するまで回動するもので、掃除作業時には取手部を持って本体を移動させるが、取手部は本体近傍の球体保持部を中心に回動するため、使用者の身長等に応じて取手部の高さが調整でき、非常に使いやすく、また作業中に誤って取手部を離しても、取手部回動して床面に衝突するだけで、本体は転倒しないため、電解槽或いはその内部の電極等に過大な衝撃が加わることがなく、長期間安定して使用できるものである。
【００１５】
請求項８記載の発明は、取手部を床面に対して略垂直方向上方に固定する係止手段を設けたもので、清掃機本体を持ち運びするとき、取手部を上方に回動し係止手段を乗り越えて床面に対して略垂直上方に固定できるため、そのまま取手部を握って持ち上げることができ、このとき本体は下方向に向くことはないため、持ち運びやすく運搬が容易なため、非常に使いやすいものである。
【００１６】
請求項９記載の発明は、拭取手段を駆動させる駆動手段を設け、前記駆動手段の周囲と拭取手段近傍とを連通するダクト手段を設けたもので、清掃機で長期間掃除すると、連続して付着された電解水が拭取手段を湿らせることとなり、そのため掃除終了後にも床面に湿り気が残る不具合が生じるが、駆動手段の暖かい排気をダクト手段を通じて伝達し、拭取手段を乾燥させるため、掃除後の拭き残しが生じず、使いやすいものである。
【００１７】
請求項１０記載の発明は、本体裏面に吸込室と、前記吸込室に連通する接続手段とを設け、前記接続手段に電気掃除機の延長管を接続可能としたもので、接続した電気掃除機の吸引力により、拭き掃除前に床面の塵埃を吸引することができ、拭き掃除前に電気掃除機で掃除する必要がなく、操作しやすいとともに、掃除機の吸引風が清掃機裏面を高速で通過するため、拭取手段を乾燥させることができ、掃除後の拭き残しが生じず、非常に使いやすいものである。
【００１８】
【実施例】
（実施例１）
本発明の第１の実施例を図１〜図６を用いて説明する。図１は清掃機の構造図を示す。同図において、２０は清掃機本体であり、本体下２１と本体上２２が結合して構成され、前記本体下２１上方には、防振ゴム２３を介して電解槽２４が設けられている。前記電解槽２４は、陰極室２５と陽極室２６が並んで構成された配置になっており、前記陽極室２６と前記陰極室２５は隔膜２７を介して分離され、各々陽極２８及び陰極２９が前記隔膜２７を介して対向配置されており、電解時には陽極２８には＋の電位を負荷し、陰極２９には−の電位を負荷する構成になっている。
【００１９】
陽極室２６底には、陽極水出口３０が設けられ、陽極水電磁弁３１を介して、連通管３２に連通し、陰極室２５底には陰極水出口３３が設けられ、陰極水電磁弁３４を介して、前記連通管３２に連通している。
【００２０】
３５は着脱自在のキャツプ３６及び過吐出防止手段３７、さらにはその底部に濾過手段３８を有する電解質タンクであり、ここでは電解質として食塩が充填されている。なお電解質としては、食塩のほかに珪酸塩、炭酸塩、重炭酸塩などの水溶性電解質を用いることができる。電解質タンク３５に食塩と水を入れることにより、その内部に飽和食塩水が生成され、可撓性を有する外郭を１回圧縮すると、その外郭は内部の過吐出防止手段３７に接触するまで撓み、内部に沈殿している食塩が濾過手段３８によって濾過されながら、一定量の飽和食塩水だけが陽極室２６に供給される構成となっている。
【００２１】
前記本体２０の下前方には、駆動手段Ａ３９にて回転可能に構成されたブラシＡ４０から成る、床面の汚れを拭き取る拭取手段が構成されている。前記ブラシＡ４０は前記駆動手段Ａの回転軸Ａ４２に圧入され、前記回転軸Ａ４２内部に設けた電解水付着孔４３と前記連通管３２が連通しているため、電解槽２４で生成された電解水が、連通管３２、電解水付着孔４３を介して少しずつ流れ、前記ブラシＡ４０を少しずつ濡らす構成を採っていた。ここで４４は前記回転軸Ａ４２と前記連通管３２の間の水漏れを防止するＯリングで、前記回転軸Ａ４２外周に挿入されている。
【００２２】
前記本体２０の下後方には、駆動手段Ｂ４５にて回転可能に構成されたもう一つの拭取手段であるブラシＢ４６が構成されている。
【００２３】
本体上２２上面後方には、清掃機本体２０を移動させる棒状の取手部４８が設けられている。前記取手部４８の根元には球体保持部４９が構成され、前記本体上２２上面後方に設けられた凹部５０に挿入することで、前記球体保持部４９を中心として、床面に接触するまで自在に回動可能になっている。前記取手部４８を前方に回動したとき、その行程側部にある係止凸部５１を乗り越え係止することで、床面に対して略垂直な角度に固定することができる。
【００２４】
前記取手部４８には、陽極水電磁弁３１及び陰極水電磁弁３４の開閉を制御する操作スイッチ５２が設けられている。
【００２５】
次に本実施例の構成に於ける動作、作用を説明する。
【００２６】
床面を掃除するとき、陰極室２５と陽極室２６内の陰極２９及び陽極２８が浸かるまで電解槽２４に水を入れ、電解室タンク３５の外郭を過吐出防止手段３７に接触するまで１回圧縮すると、過飽和状態の食塩水が陽極室２６内に所定量供給され、所定濃度の食塩希釈水となる。ついで陽極２８を＋極、及び陰極２９を−極として所定時間通電され、電解動作が開始される。電解時の陽極室２６では、（化１）に示した反応が生じて酸性水が生成される。
【００２７】
【化１】
2005006816.tif 000003
この酸性水には塩素成分が含まれており、殺菌水や床等の漂白などに使用することができる。
【００２８】
一方、陰極室２５では、（化２）に示した反応が生じて水酸基ＯＨ―を中和するためＮａ＋が隔膜２７を通過して移動し、アルカリ水が生成される。
【００２９】
【化２】
2005006816.tif 000004
ここで、陽極室２６のみ食塩溶液が供給されるので、短時間に還元力の強いアルカリ水が得られる。すなわち、陽極２８と陰極２９間に電圧が印加されると被電解水に含まれるイオンは電気吸引力により陽／陰極２８、２９と逆極性のイオンが隔膜２７を通過して移動することとなる。したがって陽極室２６に導入された食塩に含まれるＮａイオンは隔膜２７を経て陰極室２５へと即座に移動する。この電気吸引力以外にも例えば拡散理論に従えば、Ｎａイオンが拡散によってイオン濃度を均一にするように作用する。この結果、陽／陰極２８、２９間に流れる電流が増加し、短時間に還元力の強いアルカリ水が得られる。この還元力の強いアルカリ水は、油脂の鹸化や乳化作用および蛋白質に対する加水分解作用を有し、家具や住宅建材、電気製品などの表面の洗浄水として利用できる。
【００３０】
また、陽極室２６のみに食塩溶液が供給されることで陰極室２７には塩素イオンＣｌ￣濃度の低いアルカリ水が生成される。Ｃｌ―は洗浄力を阻害する因子となるため、陽極室２６のみに食塩溶液が供給されることで、洗浄力の強いアルカリ水が生成できる。
【００３１】
上記電解が終了した後、実際に掃除動作を開始するが、取手部４８に設けられた操作スイッチ５２を操作し、陰極室２５下方の陰極水電磁弁３４を開けることにより、陰極室２５で生成されたアルカリ水が、陰極水出口３３を通じて連通管３２へと送水され、回転軸Ａ４２内の電解水付着孔４３を通じ、ブラシＡ４０に少量ずつ付着する。ここで駆動手段Ａ３９によりブラシＡ４０を回転させ、床面を摩擦しながら床面に付着した塵埃を除去するが、このとき前記ブラシＡ４０には強い洗浄力を有するアルカリ水が付着されているため、乾燥させたブラシＡ４０を使用したときや、水を付着した場合と比較して、床面の塵埃が容易に除去でき、掃除作業が非常に容易に行なえるものである。
【００３２】
ブラシＡ４０にて床面の塵埃を除去した後、塵埃を含んだアルカリ水が床面に残存するが、さらに清掃機本体２０を前進させることで、駆動手段Ｂ４５にて乾燥しているブラシＢ４６を回転させながら床面を摩擦し、残存しているアルカリ水を綺麗に拭き取るため、電解水の後残りが無く、作業の手間が大幅に削減できる。
【００３３】
操作スイッチ５２を操作し、陽極室２６下方の陽極水電磁弁３１を開けた場合では、前記陽極室２６内で生成された、塩素成分を含み殺菌・漂白効果を有する酸性水で床面を拭くことができ、例えばトイレの床等の除菌が求められる床等にも大変効果的な作用を有し、長期的に快適かつ簡単に使用できるものである。
【００３４】
また、これらの電解水の付着操作は、取手部４８に設けた操作スイッチ５２で手元で容易に行なえ、電解水が必要な場合のみブラシＡ４０に付着させることができ、電解水を無駄に浪費することがなく、効率よく掃除が行なえるものである。
【００３５】
また、図５に示すように、取手部４８根元の球体保持部４９周りに前後方向に隙間を設け、球体保持部４９が前方向に移動したとき、陽極水電磁弁３１又は陰極水電磁弁３４を制御するリミットスイッチ５３の操作部５４を附勢した場合は、清掃機本体２０を前進させるため取手部４８を前方向に押したときのみ操作部５４を附勢し、電解水が必要なときのみ自動的にブラシＡ４０に付着させることができ、電解水を無駄に浪費することなく、効率よく掃除が行なえる。
【００３６】
さらに、電解槽２４は防振性を有する防振ゴム２３を介して本体下２１に固定されているため、掃除作業中に誤って清掃機本体２０を壁等に衝突させても、衝撃は前記防振ゴム２３にて軽減され、電解槽２４に過大な衝撃は加わらず、内部の陽極２８及び陰極２７が破損することがないため、長期間安定して使用できるものである。
【００３７】
また、電解槽２４は本体下２１のすぐ上方、即ち清掃機本体２０の略下方に設けられているため、掃除作業中に誤って清掃機本体２０を転倒させても、電解槽２４が転倒する高さは低く、転倒衝撃が小さいため、電解槽２４或いはその内部の陽極２８及び陰極２７に過大な衝撃が加わることがなく、破損しないため、長期間安定して使用できるものである。
【００３８】
さらに、使用者が操作する取手部４８は、清掃機本体２０近傍に位置する球体保持部４９を中心に自在に回動するため、使用者の身長或いは掃除する場所に合わせて自由に高さが調製でき、非常に使いやすく、掃除作業中に誤って取手部４８から手を離しても、前記取手部４８が回動して床面に衝突するだけで、清掃機本体２０は転倒せず、わざわざ清掃機本体２０を起こすことも無いため、非常に使いやすいと共に、電解槽２４或いはその内部の陽極２８及び陰極２７に過大な衝撃が加わることがなく破損しないため、長期間安定して使用できるものである。
【００３９】
そして掃除終了後、清掃機本体２０を収納場所まで運ぶとき、取手部４８を前方に回動させると、係止凸部５１を乗り越えることで床面と略垂直方向上方側に固定でき、前記取手部４８を持って清掃機本体２０を持ち上げても、清掃機本体２０が下方向に向かって垂れるように回動することは無く、運搬が容易で非常に運びやすく、使いやすいものである。
【００４０】
また、図６に示すように、駆動手段Ｂ４５の排気口と本体下２１下方（ブラシＢ４６の近傍）を連通するダクト５５を設けた場合には、前記駆動手段Ｂ４５から発する高温の排気が前記ダクト５５を通じて本体下２１下方のブラシＢ４６に当たり、ブラシＢ４６は常に乾燥した状態を保つことができる。長時間掃除をしたときには、大量の電解水がブラシＡ４０に付着され、床面清掃後それをブラシＢ４６で拭取るが、排気の作用でブラシＢ４６は常時乾燥しているため、電解水の拭き残しが生じず、使いやすいものである。
【００４１】
さらに、本体下２１裏面に塵埃を吸引する吸込室５６を設け、前記吸込室５６に連通する延長管挿入孔５７を設けた場合においては、掃除するとき、電気掃除機（図示せず）の延長管（図示せず）を延長管挿入孔５７に挿入して電気掃除機を動作させるが、このとき床面の塵埃が吸込室５６、延長管（図示せず）を介して吸引され、床面に塵埃が無い状態で拭き掃除ができるため、前もって電気掃除機で掃除してから床拭きを行なう必要が無く、操作しやすいと共に、電気掃除機から発生する高速の吸込風が本体下２１裏面を通過するため、ブラシＢ４６及びブラシＡ４０は即座に乾燥され、長時間清掃機本体２０を使用しても電解水の拭き残しが無く、使いやすいものである。
【００４２】
以上の実施例からも明らかなように、水を電気分解して生成されたアルカリ水を、拭取手段に付着して床面等を拭くことで、強固に付着した汚れ等も簡単に除去でき、床面の電解水残りも発生せず、簡単に掃除が行なえるものであり、また酸性水を使用したときは、簡単に床面等の除菌・漂白が行なえ、また動作時のみ電解水を付着することで、電解水の消費量に無駄が無く、また本体の略下方に防振手段を介して電解槽を設けたため、掃除作業時の衝撃にも強く、さらに取手部を回動させることで使用者が使いやすく、また駆動手段の排気で拭取手段を乾燥させるため、これが湿ることによる床面の拭き残しも発生せず、また電気掃除機を接続することで、塵埃吸引及び磨き掃除が同時に行なえ、長期的に快適かつ経済的に使用できるため、使いやすく耐久性に優れかつメンテナンス費用も安価な清掃機を提供できる。
【００４３】
【発明の効果】
本発明によれば、生成した電解水を拭取手段に付着させながら床を拭くため、電解水を無駄に使用することも無く、効率良く床面を綺麗に掃除でき、使用性の高い清掃機を提供できる。
【図面の簡単な説明】
【図１】本発明の第１実施例の清掃機の構成図
【図２】同清掃機の平面図
【図３】同清掃機の断面図
【図４】同清掃機の磨き手段の構成図
【図５】同清掃機のリミットスイッチを用いた場合の構成図
【図６】同清掃機のダクト及び電気掃除機を用いた場合の構成図
【図７】従来の掃除機の断面図
【図８】同掃除機の要部を示す断面図
【符号の説明】
２３  防振ゴム
２４  電解槽
２５  陰極室
２６  陽極室
２８  陽極
２９  陰極
３９  駆動手段Ａ
４０  ブラシＡ（拭取手段）
４５  駆動手段Ｂ
４６  ブラシＢ（拭取手段）
４８  取手部
４９  球体保持部
５０  凹部
５１  係止凸部
５２  操作スイッチ
５５  ダクト
５６  吸込室
【図１】
2005006816.tif 000005
【図２】
2005006816.tif 000006
【図３】
2005006816.tif 000007
【図４】
2005006816.tif 000008
【図５】
2005006816.tif 000009
【図６】
2005006816.tif 000010
【図７】
2005006816.tif 000011
【図８】
2005006816.tif 000012